(57)【特許請求の範囲】
【請求項１】
ブラシ箱に長さ方向摺動自在に保持されてバネにより内径方向に付勢される放射状に配置された複数のブラシ、モータ軸の一方の端部を回転自在に支持する第１の軸受、及びモータ軸の中間部を回転自在に支持する第３の軸受を収納する軸受ハウジングを有するハウジングケースと、一部分にウォームギヤを有するモータ軸、前記モータ軸に取り付けられたアマチュアコア、整流子及び前記ウォームギヤと整流子の間でモータ軸に予め取り付けられた第３の軸受を有する回転子と、モータ軸のもう一方の端部を回転自在に支持する第２の軸受を有する固定子フレームとからなるモータ軸受の組立方法であって、底面に前記ウォームギヤの外径よりも大きくかつ前記第３の軸受の外径よりも小さな径を持つ透孔を有しかつ内周面の径が前記第３の軸受の外径よりも僅かに大きくさらに外周面の径が前記第３の軸受を収納する軸受ハウジングに嵌合する寸法であるカップ状スリーブを、前記放射状に配置された複数のブラシの中心に底面が奥になる姿勢で設置し、前記バネにより内径方向に付勢されたブラシの先端で外周を挟持して前記ハウジングケースに仮固定する第１の工程と、前記回転子をウォームギヤ側から前記ハウジングケースに挿入して前記第３の軸受を前記カップ状スリーブに収納する第２の工程と、前記第３の軸受を収納した前記カップ状スリーブを前記軸受ハウジングに収納保持すると同時にこのカップ状スリーブが前記ハウジングケースの奥に押し込まれることで自然に前記ブラシが開放されることにより前記ブラシを前記整流子摺動面に当接させ、さらに前記モータ軸の一方の端部を第１の軸受に挿入する第３の工程と、ハウジングケースと固定子フレームを組み付けることにより前記モータ軸のもう一方の端部を第２の軸受で支持する第４の工程とからなるモータの軸受組立方法。
【請求項２】
カップ状スリーブを仮固定する時に、ブラシ箱の内周面に一体に形成した複数の凸部を当接させて保持することを特徴とする請求項１記載のモータの軸受組立方法。
【請求項３】
カップ状スリーブを仮固定する時に、カップ状スリーブ外周面に形成した複数の凸部を当接させて保持することを特徴とする請求項１記載のモータの軸受組立方法。
【発明の詳細な説明】
【０００１】
【発明の属する技術分野】
本発明は特に自動車の窓ガラス昇降用に使われるパワーウィンドモータなどの、ウォームギヤを有するモータの軸受組立方法に関する。
【０００２】
【従来の技術】
従来より、パワーウィンドモータなどに使用されるウォームギヤ付モータは、モータ軸の両端部と、ウォームギヤとアマチュアコアの中間部の３ヶ所の軸受で支持される構造をもつ。
【０００３】
以下に従来のウォームギヤ付モータについて説明する。
図４において、１はモータ軸であり、その両端部を軸受１２，軸受１３により支承されている。２はアマチュアコア、３はモータ軸と一体に形成または別部品として取り付けられるウォームギヤ、５は油きり、６はウォームギヤ３と油きり５の間に装着されモータ軸１に対して回転自在となる第３の軸受、８は第３の軸受を収納する軸受ハウジングを有するハウジングケース、９はバネ１１により内径方向に付勢されたブラシ、１０はブラシ９を摺動自在に保持するブラシ箱である。１４は一方の軸受を収納した固定子フレームであり、ハウジングケース８とネジなどの手段で接合されている。また、ウォームギヤ３の外径はモータ軸１の外径よりも大きいため第３の軸受は予め回転子に取り付けられている。
【０００４】
上記構成において、モータの組立を行う場合、回転子をハウジングケースに挿入する前にブラシ９をバネの力に逆らって外径側に移動させ治具を用いて仮保持する。この状態で回転子をハウジングケースに挿入し、しかる後ブラシ９を固定していた治具を取り外すことでブラシと整流子を当接させる。
【０００５】
【発明が解決しようとする課題】
このような従来のウォームギヤ付モータの軸受組立方法では、治具を使用してブラシの仮保持及び開放を行うために組立工数が多く、また回転子挿入時に第３の軸受の外周がブラシの先端面やブラシ箱に接触することで、ブラシに軸受の油が付着し、ブラシの異常摩耗や、ブラシと整流子間のスリップによる異常音を発生するなどという問題点を有していた。
【０００６】
本発明は上記課題を解決するもので、ブラシの仮保持及び開放が容易に行え、ブラシに軸受油が付着することのないモータの軸受組立方法を提供することを目的としている。
【０００７】
【課題を解決するための手段】
この目的を達成するために本発明のモータの軸受組立方法は、ブラシの仮保持及び開放を容易に行える機能と第３の軸受を収納して軸受の外周部がブラシやブラシ箱と直接接触することを防止する機能を兼ね備えたカップ状のスリーブを用いたものである。前記カップ状スリーブが、前記ハウジングケースの奥に押し込まれることで自然に前記ブラシが開放される。
【０００８】
【発明の実施の形態】
本発明の請求項１に記載の発明は、ブラシ箱に長さ方向摺動自在に保持されてバネにより内径方向に付勢される放射状に配置された複数のブラシ、モータ軸の一方の端部を回転自在に支持する第１の軸受、及びモータ軸の中間部を回転自在に支持する第３の軸受を収納する軸受ハウジングを有するハウジングケースと、一部分にウォームギヤを有するモータ軸、前記モータ軸に取り付けられたアマチュアコア，整流子及び前記ウォームギヤと整流子の間でモータ軸に予め取り付けられた第３の軸受を有する回転子と、モータ軸のもう一方の端部を回転自在に支持する第２の軸受を有する固定子フレームとからなるモータ軸受の組立方法であって、底面に前記ウォームギヤの外径よりも大きくかつ前記第３の軸受の外径よりも小さな径を持つ透孔を有しかつ内周面の径が前記第３の軸受の外径よりも僅かに大きくさらに外周面の径が前記第３の軸受を収納する軸受ハウジングに嵌合する寸法であるカップ状スリーブを、前記放射状に配置された複数のブラシの中心に底面が奥になる姿勢で設置し、前記バネにより内径方向に付勢されたブラシの先端で外周を挟持して前記ハウジングケースに仮固定する第１の工程と、前記回転子をウォームギヤ側から前記ハウジングケースに挿入して前記第３の軸受を前記カップ状スリーブに収納する第２の工程と、前記第３の軸受を収納したカップ状スリーブを前記軸受ハウジングに収納保持すると同時に前記ブラシを前記整流子摺動面に当接させ、さらに前記モータ軸の一方の端部を第１の軸受に挿入する第３の工程と、ハウジングケースと固定子フレームを組み付けることにより前記モータ軸のもう一方の端部を第２の軸受で支持する第４の工程とからなるモータ軸受の組立方法であり、ブラシの仮保持及び開放を容易に行うことができ、かつブラシへの軸受油の付着を防止できるという作用を有する。前記カップ状スリーブが、前記ハウジングケースの奥に押し込まれることで自然に前記ブラシが開放される。
【０００９】
請求項２に記載の発明は、請求項１記載のモータ軸受の組立方法で、カップ状スリーブを仮固定する時に、ブラシ箱の内周面に一体に形成した複数の凸部を当接させて保持するものであり、カップ状スリーブを仮固定する保持力を安定させることができるという作用を有する。
【００１０】
請求項３に記載の発明は、請求項１記載のモータ軸受の組立方法で、カップ状スリーブを仮固定する時に、カップ状スリーブ外周面に形成した複数の凸部を当接させて保持するものであり、カップ状スリーブを仮固定する保持力を安定させることができるという作用を有する。
【００１１】
【実施例】
以下本発明の実施例について、図１，２及び３を参照しながら説明する。
【００１２】
図２において、１はモータ軸、２はアマチュアコア、３はモータ軸１と一体に形成または別部品として取り付けられるウォームギヤ、４は整流子、５は油きり、６はウォームギヤ３と油きり５の間でモータ軸１に取り付けられて回転自在となる第３の軸受、７はカップ状スリーブ、８はハウジングケース、８ａはハウジングケースの一部分に形成される第３の軸受を収納したカップ状スリーブを収納保持する軸受ハウジング、９はブラシ、１０はブラシ箱、１１はブラシを付勢するためのバネ、１２及び１３は軸受、１４は固定子フレームを示す。ウォームギヤ３の外径はモータ軸１の外径よりも大きいため、第３の軸受６は予め回転子に取り付けられている。
【００１３】
上記構成において、モータの組立時に図１に示すようにハウジングケース８に回転子が挿入される前の状態で、カップ状スリーブ７がブラシ９の間に仮装着され、カップ状スリーブ７はブラシ９の押し圧及びカップ状スリーブ７の外周面とブラシ箱１０のカップ状スリーブ７仮装着部内周面との摩擦力により保持されている。その保持力は、カップ状スリーブへの第３の軸受６の沿う力よりも高く設定されているので、図３に示すようにハウジングケース８へ回転子を挿入する際カップ状スリーブ７の底面へ第３の軸受６の端面が当接するまでカップ状スリーブ７は仮保持された位置にとどまる。
【００１４】
その後、第３の軸受６の端面がカップ状スリーブ７の底面を押す形で一体となって軸受ハウジング８ａに押し込まれる。カップ状スリーブ７がハウジングケース８の奥に押し込まれると、ブラシ９はバネ１１の押し圧によって飛び出してくるが油きり５の外径をスリーブ７の外径よりも小さくし、整流子４の外径を油きり５の外径よりも小さくして、なおかつ、油きり５とスリーブ７、及び整流子４と油きり５の軸方向の隙間をブラシの軸方向に比して十分小さくしておくことにより、飛び出したブラシ９は油きり５及び整流子４の端面に引っかかることなく整流子４の外周に接するようになる。
【００１５】
なお、カップ状スリーブ７の仮装着状態での保持力は、ブラシ箱１０のカップ状スリーブ仮装着部内周面に数ヶ所の凸部１０ａを設けることにより、カップ状スリーブ７の外形寸法及びブラシ箱１０の凸部１０ａの内径寸法のばらつきによる保持力の変化を最小限に抑えることができる。また、ブラシ箱１０のカップ状スリーブ仮装着部内周面に凸部を設けるかわりに、カップ状スリーブ７の外周面に凸部を設けても同様である。
【００１６】
このように本発明の実施例のモータの軸受組立方法によれば、ブラシ間に仮保持されたカップ状スリーブ内に第３の軸受が挿入されることによりブラシやブラシ箱に軸受油が付着するのを防止することができる。また、カップ状スリーブがハウジングケース奥に押し込まれることで自然にブラシが開放されるため容易となる。
【００１７】
【発明の効果】
以上より明らかなように、本発明によれば底面にモータ軸及びウォームギヤが貫通する透孔を有するカップ状スリーブを、ハウジングケース内に配置されたブラシ間に底面側をハウジングケース奥に向けて仮装着することにより、ブラシの仮保持及び開放を容易にすることができ、組立工数を大幅に削減することができる。また、ブラシへ軸受油が付着するのを防止することができるので、ブラシの異常摩耗や、ブラシと整流子のスリップによる異常音の発生などを防止することができる。
【図面の簡単な説明】
【図１】  本発明の一実施例によるモータ軸受保持部を示す部分断面図
【図２】  本発明の一実施例によるモータを示す部分断面図
【図３】  本発明の一実施例によるモータの軸受組立方法を示す図
【図４】  従来のモータの部分断面図
【符号の説明】
１  モータ軸
２  アマチュアコア
３  ウォームギヤ
４  整流子
５  油きり
６  第３の軸受
７  カップ状スリーブ
８  ハウジングケース
８ａ  軸受ハウジング
９  ブラシ
１０  ブラシ箱
１０ａ  ブラシ箱凸部
１１  バネ
１２，１３  軸受
１４  固定子フレーム
【図１】
0003700282.tif 000002
【図２】
0003700282.tif 000003
【図３】
0003700282.tif 000004
【図４】
0003700282.tif 000005